(57)【要約】      （修正有）【課題】カセッテＦＰＤ装置をクレードルに装着しなければならないため、カセッテＦＰＤ装置の画像データ出力の即時性が活かされない。また、連続して行える撮影回数を増加させると、その分だけ構成が複雑化してカセッテＦＰＤ装置が大型化する恐れがある。【解決手段】コンソールは、放射線画像検出装置から送信された放射線画像データの受信が完了すると（ステップＳ８：Ｙｅｓ）、受信成功信号を放射線画像検出装置６へ送信する（ステップＳ９）。放射線画像検出装置は、コンソール７から受信成功信号を受信する（ステップＳ１１：Ｙｅｓ）と、送信ボタンを青点灯し（ステップＳ１２）、データ送信が完了したことを表示する。操作者は、送信ボタンが青点灯しているのを確認し、消去ボタンを押下する。放射線画像検出装置は、消去ボタンの入力を受けて、画像記憶部に記憶された放射線画像データを消去する（ステップＳ１３）。【選択図】図７
2008119018.tif 000002
【特許請求の範囲】
【請求項１】
被写体を透過した放射線を検出することにより放射線画像データを生成し、当該生成された放射線画像データを送信可能な可搬型の放射線画像検出装置と、放射線撮影に係る撮影オーダ情報を登録し、当該撮影オーダ情報と前記放射線画像検出装置とを対応付けるコンソールとを含んで、ネットワークにより接続された放射線画像撮影システムであって、
前記コンソールは、
前記放射線画像検出装置から無線通信により送信された放射線画像データを受信する第１の受信部と、
前記放射線画像データの受信が成功すると、前記放射線画像検出装置に受信成功信号を送信する第１の送信部とを有し、
前記放射線画像検出装置は、
生成された少なくとも１撮影分の放射線画像データを記憶する画像記憶部と、
該画像記憶部に記憶された放射線画像データを無線通信により前記コンソールに送信する第２の送信部と、
前記第１の送信部から送信された前記受信成功信号を受信する第２の受信部と、
前記第２の送信部が放射線画像データを送信した後、前記第２の受信部により前記受信成功信号を受信すると、前記第２の送信部により送信された放射線画像データを前記画像記憶部から消去する制御を行う消去制御手段と、を有することを特徴とする放射線画像撮影システム。
【請求項２】
前記画像記憶部は、前記消去制御手段によりそれぞれ独立して消去制御が可能な複数のメモリ空間を有することを特徴とする請求項１に記載の放射線画像撮影システム。
【請求項３】
放射線画像データの消去指示を入力する消去指示入力部を有し、
前記消去制御手段は、前記消去指示入力部により入力された消去指示に基づいて、前記第２の送信部により送信された放射線画像データを前記画像記憶部から消去することを特徴とする請求項１または２に記載の放射線画像撮影システム。
【請求項４】
前記コンソールは、放射線撮影に使用する放射線画像検出装置と前記放射線撮影に係る撮影オーダ情報とを対応付ける対応付け手段を有することを特徴とする請求項１乃至３の何れか１項に記載の放射線画像撮影システム。
【請求項５】
前記第２の送信部は、前記対応付け手段により対応付けられたコンソールへ放射線画像データを送信することを特徴とする請求項４に記載の放射線画像撮影システム。
【請求項６】
複数のコンソールを有し、
前記第２の送信部が放射線画像データを送信した後、前記第２の受信部が所定時間内に受信成功信号を受信しない場合に、前記コンソールとは異なる代替コンソールを前記放射線画像データの送信先として選択する選択手段を有することを特徴とする請求項５に記載の放射線画像撮影システム。
【請求項７】
前記複数のコンソールにはそれぞれＩＤが割り当てられており、
前記選択手段は、前記コンソールに割り当てられたＩＤと連続するＩＤが割り当てられたコンソールを前記代替コンソールとして選択することを特徴とする請求項６に記載の放射線画像撮影システム。
【請求項８】
前記第２の送信部は、前記選択手段により選択された代替コンソールへ放射線画像データを再送信することを特徴とする請求項６または７に記載の放射線画像撮影システム。
【請求項９】
前記複数のコンソールに割り当てられたそれぞれのＩＤを記憶するサーバを備え、
前記サーバが前記選択手段を有することを特徴とする請求項６乃至８の何れか１項に記載の放射線画像撮影システム。
【請求項１０】
放射線撮影に係る撮影オーダ情報を登録するコンソールに対し、被写体を透過した放射線を検出することにより生成された放射線画像データを送信可能な可搬型の放射線画像検出装置であって、
被写体を透過した放射線を検出することにより放射線画像データを生成する撮像パネルと、
前記撮像パネルで生成された少なくとも１撮影分の放射線画像データを記憶する画像記憶部と、
該画像記憶部に記憶された放射線画像データを無線通信により前記コンソールに送信する画像データ送信部と、
前記コンソールによる前記放射線画像データの受信が成功したことを示す受信成功信号を受信する成功信号受信部と、
前記画像データ送信部が放射線画像データを送信した後、前記成功信号受信部により前記受信成功信号を受信すると、前記画像データ送信部により送信された放射線画像データを前記画像記憶部から消去する制御を行う消去制御手段と、を有することを特徴とする放射線画像検出装置。
【請求項１１】
前記画像記憶部は、前記消去制御手段によりそれぞれ独立して消去制御が可能な複数のメモリ空間を有することを特徴とする請求項１０に記載の放射線画像検出装置。
【請求項１２】
放射線画像データの消去指示を入力する消去指示入力部を有し、
前記消去制御手段は、前記消去指示入力部により入力された消去指示に基づいて、前記画像データ送信部により送信された放射線画像データを前記画像記憶部から消去することを特徴とする請求項１０または１１に記載の放射線画像検出装置。
【請求項１３】
前記画像データ送信部が放射線画像データを送信した後、前記成功信号受信部が所定時間内に受信成功信号を受信しない場合に、前記画像データ送信部は、代替コンソールに対して前記放射線画像データを再送信することを特徴とする請求項１０乃至１２の何れか１項に記載の放射線画像検出装置。
【発明の詳細な説明】
【技術分野】
【０００１】
本発明は、Ｘ線に代表される放射線を検出することにより放射線画像データを生成する放射線画像検出装置、及び当該放射線画像検出装置を用いた放射線画像撮影システムに関する。
【背景技術】
【０００２】
医療診断の場においては、放射線画像検出装置として放射線画像をデジタルデータとして取り扱うことのできるＣＲ（Ｃｏｍｐｕｔｅｄ  Ｒａｄｉｏｇｒａｐｈｙ）システムが実用化されている。更に、複数の放射線撮影室を備える医療機関等での使用に対応するため、複数の読取装置と複数の制御装置とをネットワークで接続した大規模なＣＲシステムの導入が提案されている（特許文献１参照）。この特許文献１の大規模ＣＲシステムによれば、どの読取装置を用いてＣＲカセッテを読み取ったとしても、読取装置がＣＲカセッテに付帯されたカセッテＩＤを読み取り、このカセッテＩＤに基づいてＣＲカセッテを登録した制御装置を特定し、ＣＲカセッテを登録した制御装置に放射線画像データが送信され、表示される。したがって、例えば、複数の放射線撮影室にまたがって多数の放射線撮影を行った場合でも、単一の制御装置に放射線画像データが表示されるので、作業効率の向上を図ることが可能である。
【０００３】
そして、上述したＣＲカセッテに代わり、基板上に２次元的に配列された放射線検出素子を内蔵し、当該放射線検出素子に照射された放射線量に応じた電気信号を出力することが可能なＦＰＤ（Ｆｌａｔ  Ｐａｎｅｌ  Ｄｅｔｅｃｔｏｒ）装置が放射線画像検出装置として提案されている。このＦＰＤ装置を用いれば、励起光を照射して放射線画像を読み取る読取装置を必要とせず、直接的に放射線画像のデータを得ることができるので、ＣＲカセッテを用いた場合よりもシステム自体を小型化することが可能となり、また、撮影作業も円滑となる。
【０００４】
従来においては、ＦＰＤ装置は放射線撮影室に設置されているが、より迅速且つ広範囲な部位の撮影を可能とするため可搬型のものが求められてきている。また、更に撮影自由度を向上させるため、バッテリーを内蔵し、無線通信を可能とするカセッテタイプのＦＰＤ装置が考案されている（特許文献２参照）。この特許文献２には、カセッテＦＰＤ装置で撮影された放射線画像のデータからプレビュー用の間引き画像を作成し、まずこの間引き画像を無線通信により制御装置に転送して撮影状態を確認する。そして、制御装置側で全ての放射線画像データに対して再撮影の必要がないと判断されると、撮影終了後にカセッテＦＰＤ装置をクレードルに装着し、当該カセッテＦＰＤ装置のメモリに記憶された放射線画像データを制御装置に有線通信により転送するように構成されている。
【特許文献１】特開２００２−１５９４７６号公報
【特許文献２】特開２００２−２４８０９５号公報
【発明の開示】
【発明が解決しようとする課題】
【０００５】
しかしながら、上述した特許文献２の構成では、放射線画像データを制御装置に送るためにはわざわざカセッテＦＰＤ装置をクレードルに装着しなければならないため、非常に煩雑な作業となり、カセッテＦＰＤ装置の即効性が活かされない。
【０００６】
また、カセッテＦＰＤ装置を用いた放射線撮影においては、１人の患者に対する撮影枚数が疾病や撮影部位によって様々であることや、今後、上述した大規模ＣＲシステムで使用されるＣＲカセッテに代わりカセッテＦＰＤ装置が採用されるであろうことを考慮すると、カセッテＦＰＤ装置は複数回の撮影を連続して行えるものが望ましい。これに対し、特許文献２の構成では、連続して行える撮影回数を増加させるとその分だけ内蔵するメモリの容量を大きくしなければならず、構成が複雑化してカセッテＦＰＤ装置の大型化に繋がる恐れがある。
【０００７】
そこで、カセッテＦＰＤ装置を小型に維持したまま撮影作業を円滑に行う方法としては、無線通信により放射線画像データを送信することが望ましい。しかしながら、無線通信では、放射線画像データは高精細の可逆圧縮画像データであるためにデータ量が多く、短時間内で送信が完了できないことや、制御装置側の受信可能状態を常に安定して維持することが困難であるなどの理由から、通信不良が発生しやすいという問題がある。そして、制御装置に放射線画像データを送信し、当該放射線画像データをカセッテＦＰＤ装置から消去した後に通信不良の発生が判明すると、再度放射線撮影を行う必要が生じ、作業が繁雑になってしまうばかりではなく、患者に無駄な被曝をさせる等の負担を負わせることになる。
【０００８】
そこで本発明は、上記の課題に鑑みてなされたものであって、無線通信により放射線画像データを送信するにあたり、カセッテＦＰＤ装置を小型化しつつも撮影作業を効率化し、また、患者の被曝量を無駄に増やすことのない放射線画像撮影システム及び放射線画像検出装置の提供を目的とする。
【課題を解決するための手段】
【０００９】
上記目的を達成するため本発明の放射画像撮影システムは、被写体を透過した放射線を検出することにより放射線画像データを生成し、当該生成された放射線画像データを送信可能な可搬型の放射線画像検出装置と、放射線撮影に係る撮影オーダ情報を登録し、当該撮影オーダ情報と前記放射線画像検出装置とを対応付けるコンソールとを含んで、ネットワークにより接続された放射線画像撮影システムであって、前記コンソールは、前記放射線画像検出装置から無線通信により送信された放射線画像データを受信する第１の受信部と、前記放射線画像データの受信が成功すると、前記放射線画像検出装置に受信成功信号を送信する第１の送信部とを有し、前記放射線画像検出装置は、生成された少なくとも１撮影分の放射線画像データを記憶する画像記憶部と、該画像記憶部に記憶された放射線画像データを無線通信により前記コンソールに送信する第２の送信部と、前記第１の送信部から送信された前記受信成功信号を受信する第２の受信部と、前記第２の送信部が放射線画像データを送信した後、前記第２の受信部により前記受信成功信号を受信すると、前記第２の送信部により送信された放射線画像データを前記画像記憶部から消去する制御を行う消去制御手段と、を有することを特徴とする。
【００１０】
また、上記目的を達成するため本発明の放射線画像検出装置は、放射線撮影に係る撮影オーダ情報を登録するコンソールに対し、被写体を透過した放射線を検出することにより生成された放射線画像データを送信可能な可搬型の放射線画像検出装置であって、被写体を透過した放射線を検出することにより放射線画像データを生成する撮像パネルと、前記撮像パネルで生成された少なくとも１撮影分の放射線画像データを記憶する画像記憶部と、該画像記憶部に記憶された放射線画像データを無線通信により前記コンソールに送信する画像データ送信部と、前記コンソールによる前記放射線画像データの受信が成功したことを示す受信成功信号を受信する成功信号受信部と、前記画像データ送信部が放射線画像データを送信した後、前記成功信号受信部により前記受信成功信号を受信すると、前記画像データ送信部により送信された放射線画像データを前記画像記憶部から消去する制御を行う消去制御手段と、を有することを特徴とする。
【発明の効果】
【００１１】
本発明によれば、放射線画像検出装置は受信成功信号を受けてから放射線画像データを消去するため、通信ミスが発生したとしても、放射線画像検出装置はコンソールに放射線画像データを再送信することができる。したがって、再撮影を行う必要がなくなり、放射線画像検出装置を極力小型化するとともに、放射線撮影の作業を円滑に行うことができる。
【発明を実施するための最良の形態】
【００１２】
以下、図面を参照して本発明の実施の形態を説明する。なお、本実施の形態の説明における記載により、本発明の技術的範囲が限定されることはない。
【００１３】
図１は、本発明に係る放射線画像撮影システム１における一実施形態の概略構成を示す図である。
【００１４】
本実施形態による放射線画像撮影システム１は、図１に示すように、放射線撮影に関する情報を管理するサーバ２と、放射線撮影に関する操作を行う撮影操作装置４と、例えば無線ＬＡＮ（Ｌｏｃａｌ  Ａｒｅａ  Ｎｅｔｗｏｒｋ）等の無線通信方式による通信を行うための基地局５と、放射線画像検出装置６により生成された放射線画像データに画像処理を行うコンソール７とがネットワーク８を通じて接続されている。撮影操作装置４にはケーブル９を介して、被写体に放射線を照射して放射線撮影を行う放射線画像撮影装置３が接続されている。ここで、ネットワーク８は、当該システム専用の通信回線であっても良いが、システム構成の自由度が低くなってしまう等の理由のため、イーサネット（登録商標）等の既存の回線である方が好ましい。なお、図示していないが、放射線画像検出装置６及びコンソール７はそれぞれ複数設けられており、複数の撮影室をまたがって複数枚の撮影を行うことが可能となっている。
【００１５】
サーバ２はコンピュータで構成されており、サーバ２を構成する各部を制御する制御部、各種情報やユーザの指示を入力する入力操作部、及び、各種情報を記憶する外部記憶装置等が設けられている（いずれも図示しない）。制御部は、入力操作部から入力された患者情報と撮影情報とを対応付けて撮影オーダ情報を生成し、この撮影オーダ情報を外部記憶装置に記憶させるようになっている。また、後述するように、コンソール７から送信された、放射線画像検出装置６に割り当てられるカセッテＩＤ、撮影オーダ情報、コンソール７に割り当てられるコンソールＩＤとの対応付け情報を受信し、これらを外部記憶装置に記憶させるようになっている。ここで、患者情報とは、患者１２の氏名、年齢、性別、生年月日、患者１２を特定するための患者ＩＤ番号等の患者１２に関する情報である。また、撮影情報とは、撮影部位（患者の身体上の撮影する部分）、撮影する方向や方法等の撮影を行うために必要な情報である。
【００１６】
また、本実施形態の放射線画像撮影システム１においては、サーバ２は放射線画像検出装置６からの放射線画像データの送信先を複数のコンソールの中から選択したり、コンソール７からの信号の送信先を複数の放射線画像検出装置６の中から選択したりすることができる。すなわち、サーバ２が、本発明における選択手段に相当する。
【００１７】
放射線画像撮影装置３は、寝台１１に載置された被写体である患者１２に対して放射線を照射するようになっており、寝台１１の下方には、放射線画像検出装置６を装着する検出装置装着口（図示しない）が設けられている。放射線画像撮影装置３は、撮影操作装置４により制御されて所定の撮影条件で放射線撮影を行うようになっている。
【００１８】
基地局５は、無線ＬＡＮ等の無線通信方式により放射線画像検出装置６とコンソール７とが通信する際に、これらの通信を中継する機能をもつ。
【００１９】
図２は、コンソール７の要部構成を示すブロック図である。
【００２０】
コンソール７は、図２に示すように、制御部１４、ＲＡＭ１５、ＲＯＭ１６、表示部１７、入力操作部１８、通信部１９、記憶部２１等を備えるコンピュータで構成されており、各部はバス２０により接続されている。なお、コンソール７は、画像表示装置と画像処理装置とを一体的に構成した装置である。
【００２１】
ＲＡＭ（Ｒａｎｄｏｍ  Ａｃｃｅｓｓ  Ｍｅｍｏｒｙ）１５は、制御部１４により実行制御される各種処理において、ＲＯＭ１６から読み出された制御部１４で実行可能な各種プログラム、入力若しくは出力データ、及びパラメータ等の一時的に記憶するワークエリアを形成する。
【００２２】
ＲＯＭ（Ｒｅａｄ  Ｏｎｌｙ  Ｍｅｍｏｒｙ）１６は、不揮発性の半導体メモリ等により構成され、制御部１４で実行される制御プログラムや画像処理条件等を記憶する。
【００２３】
表示部１７は、例えば、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等を備えて構成され、制御部１４から出力され入力される表示信号の指示に従って、各種画面を表示するようになっている。
【００２４】
入力操作部１８は、例えば、キーボードやマウス等から構成されており、キーボードで押下操作されたキーの押下信号やマウスによる操作信号を、入力信号として制御部１４に対して出力するようになっている。具体的には、放射線画像検出装置６に割り当てられたカセッテＩＤや患者氏名などの患者情報を入力することができる。なお、入力操作部１８としてバーコードリーダを用い、放射線画像検出装置６に付与されたバーコードを読み取ることにより、カセッテＩＤを入力するように構成しても良い。
【００２５】
通信部１９は、ＩＥＥＥ８０２．１１ｂ／ｇ、Ｂｌｕｅｔｏｏｔｈ、ＵＷＢ（Ｕｌｔｒａ  Ｗｉｄｅ  Ｂａｎｄ）等の無線通信方式により、基地局５を介して、放射線画像検出装置６との間で各種情報の通信を行うものである。本実施の形態においては、通信部１９と後述する制御部１４とにより、本発明における第１の送信部と第１の受信部とを構成することが可能である。
【００２６】
制御部１４は、例えば、ＣＰＵ（Ｃｅｎｔｒａｌ  Ｐｒｏｃｅｓｓｉｎｇ  Ｕｎｉｔ）等から構成され、ＲＯＭ１６に格納される所定のプログラムを読み出してＲＡＭ１５の作業領域に展開し、当該プログラムに従って各種処理を実行する。この制御部１４は、サーバ２の外部記憶装置に記憶された撮影オーダ情報をネットワーク８を通じて受信するとともに、受信した撮影オーダ情報に含まれる撮影情報の中から撮影部位に関する情報を、基地局５を介して無線通信で放射線画像検出装置６に対して送信するようになっている。また、制御部１４は、放射線画像検出装置６から基地局５を介して無線通信により放射線画像データを受信し、この放射線画像データに対してＲＯＭ１６に格納される画像処理条件に基づいて正規化処理および階調処理等の画像処理を行うようになっている。更に、上述した撮影オーダ情報と放射線画像データとを対応付け、これらを記憶部２１に記憶させるようになっている。なお、制御部１４が、本発明における対応付け手段に相当する。
【００２７】
記憶部２１は、サーバ２から送信されて通信部１９を介して受信した撮影オーダ情報、放射線画像検出装置６から送信された放射線画像データを記憶したり、また撮影オーダ情報と放射線画像データとを対応付けて記憶したりする。
【００２８】
放射線画像検出装置６は、放射線画像撮影装置３から照射されて患者１２を透過した放射線を検出することにより放射線画像データを取得するものであり、カセッテにフラットパネルディテクタ（Ｆｌａｔ  Ｐａｎｅｌ  Ｄｅｔｅｃｔｏｒ：ＦＰＤ）とも呼ばれる撮像パネルが収容されてなる可搬型のカセッテＦＰＤ装置である。
【００２９】
以下、図３乃至図５を用いて、放射線画像検出装置６の構造について説明する。図３は、放射線画像検出装置６の斜視図である。図３に示すように、放射線画像検出装置６は、内部を保護する筐体６１を備えており、カセッテとして携帯可能に構成されている。
【００３０】
筐体６１の内部には、照射された放射線を電気信号に変換する撮像パネル６２が層を成して形成されている。この撮像パネル６２における放射線の照射面側には、入射された放射線の強度に応じて発光を行う発光層（図示せず）が設けられている。
【００３１】
発光層は、一般にシンチレータ層と呼ばれるものであり、例えば、蛍光体を主たる成分とし、入射した放射線に基づいて、波長が３００ｎｍから８００ｎｍの電磁波、すなわち、可視光線を中心に紫外光から赤外光にわたる電磁波（光）を出力する。
【００３２】
この発光層で用いられる蛍光体は、例えば、ＣａＷＯ4等を母体とするものや、ＣｓＩ：ＴｌやＧｄ2Ｏ2Ｓ：Ｔｂ、ＺｎＳ：Ａｇ等の母体内に発光中心物質が賦活されたものを用いることができる。また、希土類元素をＭとしたとき、（Ｇｄ，Ｍ，Ｅｕ）2Ｏ3の一般式で示される蛍光体を用いることができる。特に、放射線吸収及び発光効率が高いことよりＣｓＩ：ＴｌやＧｄ2Ｏ2Ｓ：Ｔｂが好ましく、これらを用いることで、ノイズの低い高画質の画像を得ることができる。
【００３３】
この発光層の放射線が照射される側の面と反対側の面には、発光層から出力された電磁波（光）を電気エネルギーに変換して蓄積し、蓄積された電気エネルギーに基づく画像信号の出力を行う光電変換部がマトリクス状に配列された信号検出部６００が形成されている。なお、１つの光電変換部から出力される信号が、放射線画像データを構成する最小単位となる１画素に相当する信号となる。
【００３４】
ここで、撮像パネル６２の回路構成について説明する。図４は、信号検出部６００を構成する光電変換部の等価回路図である。
【００３５】
図４に示すように、光電変換部の構成は、フォトダイオード６０１と、フォトダイオード６０１で蓄積された電気エネルギーをスイッチングにより電気信号として取り出す薄膜トランジスタ（Ｔｈｉｎ  Ｆｉｌｍ  Ｔｒａｎｓｉｓｔｏｒ：ＴＦＴ）６０２とから構成されている。取り出された電気信号は、増幅器６０３により信号読み出し回路６０８（図５参照）が検出可能なレベルにまで増幅される。なお、増幅器６０３には、ＴＦＴ６０２とコンデンサで構成された図示しないリセット回路が接続されており、ＴＦＴ６０２にスイッチを入れることにより蓄積された電気信号をリセットするリセット動作が行われる。また、ＴＦＴ６０２は、液晶ディスプレイ等に使用されている無機半導体系のもの、有機半導体を用いたもののいずれであってもよい。また、光電変換素子としてフォトダイオード６０１を用いた場合を例示するが、光電変換素子はフォトダイオード以外の固体撮像素子を用いてもよい。
【００３６】
図５は、光電変換部を二次元に配列した信号検出部６００の等価回路図であり、画素を構成する光電変換部それぞれの間には、走査線Ｌｌと信号線Ｌｒが直交するように配設されている。前述のフォトダイオード６０１には、ＴＦＴ６０２が接続されており、ＴＦＴ６０２が接続されている側のフォトダイオード６０１の一端は信号線Ｌｒに接続されている。一方、フォトダイオード６０１の他端は、各行に配された隣接するフォトダイオード６０１の一端と接続されて共通のバイアス線Ｌｂを通じてバイアス電源６０４に接続されている。このバイアス電源６０４の一端は制御部６０に接続され、制御部６０からの指示によりバイアス線Ｌｂを通じてフォトダイオード６０１に電圧がかかる。
【００３７】
また各行に配されたＴＦＴ６０２は、共通の走査線Ｌｌに接続されており、走査線Ｌｌは、各光電変換素子にパルスを送る走査駆動回路６０９を介して制御部６０に接続されている。同様に、各列に配されたフォトダイオード６０１は、共通の信号線Ｌｒに接続されて制御部６０に制御される信号読み出し回路６０８に接続されている。信号読み出し回路６０８には、撮像パネル６２から近い順に、増幅器６０３、サンプルホールド回路６０５、アナログマルチプレクサ６０６、Ａ／Ｄ変換機６０７が共通の信号線Ｌｒ上に配されている。
【００３８】
信号読み出し時においては、走査駆動回路６０９が駆動してＴＦＴ６０２を通電状態とすることで、フォトダイオード６０１のアノードに蓄積された電荷が電気信号として増幅器６０３に送信される。この電気信号は、増幅器６０３により信号読み出し回路６０８が検出可能なレベルにまで増幅される。そして、増幅器６０３の電圧値はサンプルホールド回路６０５で一時的保持された後、アナログマルチプレクサ６０６に与えられる。
【００３９】
アナログマルチプレクサ６０６では、得られた電圧値をシリアルな電気信号に変換してＡ／Ｄ変換機６０７に送信し、Ａ／Ｄ変換機６０７ではこの電気信号をデジタルデータに変換する。このようにして、撮像パネル６２により放射線画像データが作成される。
【００４０】
図３に戻り、放射線画像検出装置６は、インジケータ６３、送信ボタン６４、消去ボタン６５、画像記憶部６６、電源部６７、充電用端子６９などを備えている。
【００４１】
画像記憶部６６は、不揮発性メモリやフラッシュメモリなどの書き換え可能なメモリ等からなり、撮像パネル６２から出力された放射線画像データを記憶する。この画像記憶部６６は内蔵型のメモリでもよいし、メモリカード等の着脱可能なメモリでもよい。
【００４２】
インジケータ６３は、筐体６１の表面一端に設けられており、放射線画像検出装置６の動作状況を表示するようになっている。例えば、後述する充電池６８の充電状況や放射線画像データの送信状況等を表示して報知することができる。
【００４３】
送信ボタン６４は、前記インジケータ６３の近傍に設けられており、この送信ボタン６４の押下により、画像記憶部６６に記憶された放射線画像データの送信指示を行うことができる。また、この送信ボタン６４は青色、赤色などに発光するＬＥＤ（Ｌｉｇｈｔ  Ｅｍｉｔｔｉｎｇ  Ｄｉｏｄｅ）を内蔵しており、送信ボタン６４の操作状況を点滅、点灯、消灯などにより表示することができる。
【００４４】
消去ボタン６５は、前記インジケータ６３の近傍に設けられており、この消去ボタン６５の押下により、画像記憶部６６に記憶された放射線画像データの消去指示を行うことができる。本実施の形態のおいては、この消去ボタン６５が消去指示入力部に相当する。
【００４５】
電源部６７は、放射線画像検出装置６を構成する複数の駆動部（制御部６０、撮像パネル６２、インジケータ６３、入力ボタン６４、画像記憶部６６など）に電力を供給する。この電源部６７は、例えばマンガン電池、アルカリ電池、リチウム電池、ニッケル・カドミウム電池等からなる予備電池６７１と、例えばニカド電池、ニッケル水素電池、リチウムイオン電池、燃料電池、太陽電池等からなる充電自在な充電池６７２とで構成されている。
【００４６】
このように、充電池６７２の他に予備電池６７１を備えることにより、充電池６７２の充電量が不足している場合や、充電池６７２を取り替えている間等も放射線画像検出装置６に少なくとも最低限の電力を供給することが可能である。そのため、画像記憶部６６に記憶されている画像情報が誤って消えてしまったり、コンソール７等の外部装置からの信号を受信できない状態になったりすることがない。なお、充電用端子６９を図示しないクレードルに接続することにより、充電池６７２を充電することが可能である。
【００４７】
図６は、放射線画像検出装置６の要部構成を示すブロック図である。図６に示すように、放射線画像検出装置６の制御系は、制御部６０、撮像パネル６２、送信ボタン６４、消去ボタン６５、画像記憶部６６、電源部６７、ＲＯＭ８１、ＲＡＭ８２、通信部８３等を備え、各部はバス８４により接続されている。なお、これらのうち、撮像パネル６２、送信ボタン６４、消去ボタン６５、画像記憶部６６、電源部６７については上述したため、ここでは説明は省略する。
【００４８】
制御部６０は、例えば、ＣＰＵ等から構成され、ＲＯＭ８１に記憶されている制御プログラムを読み出してＲＡＭ８２内に形成されたワークエリアに展開し、当該制御プログラムに従って放射線画像検出装置６の各部を制御する。この制御部６０が、本発明における消去制御手段に相当する。
【００４９】
ＲＯＭ８１は、不揮発性の半導体メモリ等により構成され、制御部６０で実行される制御プログラム、各種プログラム等を記憶する。
【００５０】
ＲＡＭ８２は、制御部６０により実行制御される各種処理において、ＲＯＭ８１から読み出された制御部６０で実行可能な各種プログラム、入力若しくは出力データ、及びパラメータ等の一時的に記憶するワークエリアを形成する。
【００５１】
通信部８３は、無線ＬＡＮ等の無線通信方式により、基地局５を介して、コンソール７との間で各種情報の通信を行うものである。なお、ここでいう無線通信とは、電波（空間波）を用いるものの他に、赤外線や可視光線等（レーザー等）を用いた光無線通信、音波または超音波を用いた音響通信も含まれる。本実施の形態においては、通信部８３と制御部８０とにより、本発明における画像データ送信部（第２の送信部）と成功信号受信部（第２の受信部）とを構成することが可能である。
［第１の実施形態］
図７は、第１の実施形態に係る放射線画像撮影システム１の動作を説明するフローチャートである。この図を参照しつつ、患者１２に対して放射線撮影して放射線画像データを生成し、この放射線画像データを無線通信によりコンソール７に送信する一連の動作を説明する。なお、この実施形態において、放射線画像検出装置６の画像記憶部６６は、１撮影分のみの放射線画像データを記憶できる１つのメモリ空間を有する。また、予め、医師や受付担当により撮影オーダ情報が入力され、当該撮影オーダ情報がサーバ２の外部記憶装置に記憶されているものとする。
【００５２】
まず、放射線画像撮影を行う際、コンソール７はサーバ２に記憶されている撮影オーダ情報を受信（ステップＳ１）し、当該撮影オーダ情報を記憶部２１に記憶する。医師又は放射線技師等の操作者は、撮影オーダ情報に含まれる撮影情報を確認した後、複数の放射線画像検出装置の中から撮影に適した放射線画像検出装置６を選択し、当該放射線画像検出装置６に予め割り当てられたカセッテＩＤを入力操作部１８により入力する。コンソール７は、カセッテＩＤの入力を受けて、カセッテＩＤと撮影オーダ情報とを対応付け（ステップＳ２）、これらを合わせて記憶部２１に記憶する。そして、カセッテＩＤと撮影オーダ情報に対して、コンソール７に予め割り当てられたコンソールＩＤを対応付けてサーバ２に送信するとともに、撮影オーダ情報に含まれる撮影情報を撮影操作装置４に送信する。また、放射線画像検出装置６に対してコンソール７に割り当てられたコンソールＩＤを送信しておく。
【００５３】
操作者により選択された放射線画像検出装置６は、寝台１１の下方に設けられた検出装置装着口に装着され、撮影待機状態となる（ステップＳ３）。また操作者は、撮影情報に適した撮影部位が放射線画像撮影装置３に対して適切な位置となるよう、患者１２を寝台１１に裁置する。そして、コンソール７から受信した撮影情報に基づいて撮影操作装置４を制御し、当該制御情報に基づいて放射線画像撮影装置３から放射線が照射される。放射線画像検出装置６は、放射線画像撮影装置３から照射されて患者１２を透過した放射線を検出し、上述した過程で放射線画像データを生成して画像記憶部６６に記憶する（ステップＳ４）。これにより、画像記憶部６６は１撮影分の放射線画像データを記憶し、これ以上の放射線画像データを記憶できない状態となる。ここで１撮影分の放射線画像データとは、患者を診断するのに必要となる放射線画像を撮影したときに生成される放射線画像データのことであり、例えば一人の患者を１回だけ撮影した場合には１画像がこれに相当し、一人の患者を複数のアングルで連続して撮影した場合には、これらの複数のアングルで撮影した複数画像がこれに相当し、集団検診で複数の患者を連続して撮影した場合には、複数患者の画像がこれに相当する。また、動画撮影した場合には、撮影開始から撮影終了までの所定フレーム分の複数画像がこれに相当する。
【００５４】
１撮影が終了すると、操作者は、寝台１１の検出装置装着口から放射線画像検出装置６を取り出し、放射線画像検出装置６の送信ボタン６４を押下する。放射線画像検出装置６は、送信ボタン６４の入力を受けると、画像記憶部６６に記憶された放射線画像データにカセッテＩＤを付帯させ、通信部８３から基地局５を介して無線通信により送信する（ステップＳ５）。このとき、放射線画像データとカセッテＩＤとは、コンソールＩＤを基にしてコンソール７に対して送信される。そして、送信ボタン６４を青点滅させ（ステップＳ６）、放射線画像データが送信中である旨を表示する。
【００５５】
コンソール７は、放射線画像検出装置６から送信された放射線画像データ（及びカセッテＩＤ）を受信し（ステップＳ７）、放射線画像データの受信が完了すると（ステップＳ８：Ｙｅｓ）、基地局５を介して受信成功信号を放射線画像検出装置６へ送信する（ステップＳ９）。また、コンソール７は、受信した放射線画像データに対してＡ／Ｄ変換、正規化処理および階調処理等の画像処理を施した後、放射線画像データに付帯されたカセッテＩＤをキーとして放射線画像データと撮影オーダ情報とを対応付け（ステップＳ１０）、これらを画像記憶部２１に記憶する。
【００５６】
放射線画像検出装置６は、コンソール７から受信成功信号を受信する（ステップＳ１１：Ｙｅｓ）と、送信ボタン６４を青点灯し（ステップＳ１２）、データ送信が完了したことを表示する。操作者は、送信ボタン６４が青点灯しているのを確認し、消去ボタン６５を押下する。放射線画像検出装置６は、消去ボタン６５の入力を受けて、画像記憶部６６に記憶された放射線画像データを消去する（ステップＳ１３）。そして、送信ボタン６４を消灯する（ステップＳ１４）。次の撮影があれば（ステップＳ１５：Ｙｅｓ）上記ステップＳ３〜ステップＳ１４を繰り返し、撮影終了であれば（ステップＳ１５：Ｎｏ）、放射線画像検出装置６での処理は終了となる。
【００５７】
撮影が終了すると、操作者はコンソール７の入力操作部１８を操作して、患者氏名や患者ＩＤなどの患者情報を入力する。コンソール７は、入力操作部１８による患者情報の入力を受けて、当該患者情報に対応付けられた放射線画像データを表示部１７に表示する（ステップＳ１６）。そして、操作者は表示された放射線画像データを確認して問題がなければ、当該放射線画像データと撮影オーダ情報とをサーバ２に送信し（ステップＳ１７）、コンソール７での処理は終了となる。
【００５８】
このように、本実施の形態においては、コンソール７が放射線画像データの受信を完了すると受信成功信号を送信し、放射線画像検出装置６は当該受信成功信号を受けてから放射線画像データを消去するように構成されている。そのため、放射線画像データを送信中に通信ミスが発生し、コンソール７が放射線画像データを受信できなかった場合は、コンソール７から受信成功信号が送信されないため、放射線画像検出装置６は放射線画像データを消去しない。したがって、通信ミスが発生したとしても、放射線画像検出装置６はコンソール７に放射線画像データを再送信することができるため、再撮影を行う必要がなくなり、円滑に撮影作業を行うことができる。また、患者に再度放射線を曝射することもなくなる。
【００５９】
また、上述したように、放射線画像検出装置６はＦＰＤにより構成されており、この放射線画像検出装置６とコンソール７とは無線通信により放射線画像データの送受信が可能であるため、放射線画像検出装置６の画像データ出力の即時性を最大限に活かすことができる。また、連続撮影を行う場合でも、放射線画像検出装置６の画像記憶部６６の容量を大きくする必要がないので、放射線画像検出装置６を小型化することが可能である。
【００６０】
なお、上述の実施の形態においては、放射線画像検出装置６はコンソール７からの受信成功信号を受信すると、コンソール７での受信が成功したと判断して消去動作に移行するように構成したが、コンソール７は受信成功信号を送信せずに、受信を失敗すると受信失敗信号を送信するように構成しても良い。この場合、放射線画像検出装置６は当該受信失敗信号を所定時間内に受信しないとき、受信が成功したと判断して消去動作に移行することができる。
【００６１】
また、送信ボタン６４からの入力を受けて放射線画像データをコンソール７に送信し、消去ボタン６５からの入力を受けて放射線画像データを消去するように構成したが、コンソール７の入力操作部１８により送信指示、消去指示を入力できるように構成し、当該送信指示、消去指示を無線通信により放射線画像検出装置６に送信して放射線画像データの送信、消去を行うようにしても構わない。
【００６２】
また、放射線画像データの消去は、放射線画像検出装置６が受信成功信号を受信すると、自動的に消去されるように構成しても良い。このように構成することにより、操作者は消去ボタン６５を押下する必要がなくなるので、効率よく撮影作業を行うことが可能となる。
【００６３】
また、ステップＳ２でコンソール７のコンソールＩＤを放射線画像検出装置６に送信しておき、ステップＳ５では当該コンソールＩＤに基づいて放射線画像検出装置６は放射線画像データをコンソール７に送信するようにしたが、予めコンソール７のコンソールＩＤを放射線画像検出装置６に送信せずに、ステップＳ５で送信先のコンソール７をサーバ２に問い合わせるように構成しても良い。具体的には、ステップＳ２でサーバ２にはコンソール７のコンソールＩＤと放射線画像検出装置６のカセッテＩＤとの対応付けが記憶され、ステップＳ５で放射線画像検出装置６から送信先の問い合わせがあると、サーバ２は当該放射線画像検出装置６のカセッテＩＤに対応付けられたコンソールＩＤを選択し、当該コンソールＩＤを放射線画像検出装置６に送信するように構成する。
【００６４】
また、放射線画像検出装置６で放射線画像データよりも情報量の少ない縮小画像データ（間引きデータ）を生成するようにし、コンソール７に放射線画像データを送信する前に縮小画像データを送信し、画像を確認するように構成しても構わない。このように構成することで、縮小画像データに基づいてコンソール７で撮影状態（被写体の位置、放射線量など）を確認し、再撮影の必要があれば放射線画像データを受信する前に再撮影を実施することができるので、効率よく撮影作業を行うことができる。
〈変形例〉
図８は、図７における第１の実施形態に係る放射線画像撮影システム１の動作を一部変形したときのフローチャートである。すなわち、この変形例では、放射線画像検出装置６がコンソール７からの受信成功信号を所定時間内に受信しない場合に、コンソール７とは異なる代替コンソールに対して放射線画像データを再送信する構成となっている。なお、図８は図７と破線部分Ａが異なるためここでは破線部分Ａを中心に説明し、重複する処理については説明を省略する。また、ここで代替コンソールとは、コンソール７に割り当てられたコンソールＩＤと連続するコンソールＩＤが割り当てられたコンソールとする。
【００６５】
図８のステップＳ１１において、放射線画像検出装置６は、所定時間経過してもコンソール７からの受信成功信号を受信しない場合は（ステップＳ１１ａ：Ｙｅｓ）、代替コンソール処理を行う（ステップＡ１）。
【００６６】
図９は、放射線画像撮影システム１において、放射線画像検出装置６の代替コンソール処理を説明するフローチャートである。
【００６７】
まず、放射線画像検出装置６は、所定時間経過してもコンソール７からの受信成功信号を受信しない場合は、サーバ２に対して受信成功信号を受信しない旨のヘルプ信号と、このヘルプ信号に付帯させて放射線画像検出装置６のカセッテＩＤ及びコンソール７のコンソールＩＤを送信する（ステップＡ２）。サーバ２は、放射線画像検出装置６からヘルプ信号を受信すると、コンソール７のコンソールＩＤと連続するＩＤが割り当てられた代替コンソールを外部記憶装置の中から検索し、当該代替コンソールを再送信先として選択する（ステップＡ３）。そして、この代替コンソールのコンソールＩＤを放射線画像検出装置６に送信する（ステップＡ４）。
【００６８】
放射線画像検出装置６は、サーバ２から代替コンソールのコンソールＩＤを受信すると、コンソール７に送信した放射線画像データ（及びカセッテＩＤ）を代替コンソールに再送信する（ステップＡ５）。このとき、送信ボタン６４を赤点滅させ（ステップＡ６）、代替コンソールに放射線画像データを送信中であることを表示する。
【００６９】
代替コンソールは、放射線画像検出装置６から送信された放射線画像データを受信し（ステップＡ６）、放射線画像データの受信が完了すると（ステップＡ８：Ｙｅｓ）、放射線画像検出装置６に受信成功信号を送信する（ステップＡ９）。また、このときコンソール７に代替受信した旨を通知する（ステップＡ１０）。
【００７０】
放射線画像検出装置６は、代替コンソールから受信成功信号を受信する（ステップＡ１１：Ｙｅｓ）と、送信ボタン６４を赤点灯し（ステップＡ１２）、図９に戻って処理を続ける。
【００７１】
このように、放射線画像検出装置６がコンソール７から所定時間内に受信完了信号を受信しない場合は、コンソール７とは異なる代替コンソールに対して、放射線画像データを再送信する。したがって、例えば、コンソール７が故障などで通信不能状態となっていたとしても、代替コンソールに放射線画像データが送信されて記憶されるので、撮影作業を円滑に行うことができる。
【００７２】
また、上述の説明においては、コンソール７に割り当てられたコンソールＩＤと連続するコンソールＩＤが割り当てられたコンソールを代替コンソールとして選択した。通常、コンソールＩＤが連続するコンソール同士は近くに設置されていることが多いため、このようなコンソールを代替コンソールとして選択することにより、身近にある代替コンソールに放射線画像データが送信されることになる。したがって、通信不能により代替コンソール処理が行われたとしても、操作者は迅速に対応することが可能である。なお、コンソールＩＤが連続するコンソールを代替コンソールとして選択しなくてももちろん構わない。
【００７３】
また、代替コンソール処理を行う場合には、送信ボタン６４の表示色を通常状態とは異なる色（赤）としたため、操作者は代替コンソールに放射線画像データが送信されたことを容易に知ることができる。
【００７４】
なお、この変形例においては、放射線画像検出装置６は所定時間経過しても受信成功信号を受信しない場合にサーバ２にヘルプ信号を送信し、当該ヘルプ信号を受けてサーバ２が代替コンソールを選択するように構成した。しかし、これに限らず、例えば当該ヘルプ信号を受けるとサーバ２は放射線画像検出装置６にコンソールの一覧を送信し、放射線画像検出装置６が当該コンソールの一覧から代替コンソールを選択するようにしても構わない。
［第２の実施形態］
図１０は、第２の実施形態に係る放射線画像撮影システム１の動作を説明するフローチャートである。上述した第１の実施形態では、放射線画像検出装置６の画像記憶部６６は、１撮影分のみ放射線画像データを記憶できるメモリ空間を備えていたが、本実施形態のおいては、画像記憶部６６は１撮影分の放射線画像データをそれぞれ記憶できる第１のメモリ空間及び第２のメモリ空間を備えており、同時に２撮影分の放射線画像データを記憶することが可能である。また、第１のメモリ空間、第２のメモリ空間をそれぞれ独立して制御するため、それぞれのメモリ空間に対応して第１の送信ボタン及び第１の消去ボタン、第２送信ボタン及び第２の消去ボタン（ともに図示せず）が備えられている。なお、コンソール７の動作は第１の実施形態と同様であることから、図８では放射線画像検出装置６の動作を主として説明する。
【００７５】
まず、放射線画像撮影を行う際、第１の実施形態で説明したように、コンソール７はサーバ２に記憶されている撮影オーダ情報を受信し、当該撮影オーダ情報を記憶部２１に記憶する。操作者は、撮影オーダ情報に含まれる撮影情報を確認した後、複数の放射線画像検出装置の中から撮影に適した放射線画像検出装置６を選択し、当該放射線画像検出装置６に割り付けられたカセッテＩＤを入力操作部１８により入力する。コンソール７は、当該カセッテＩＤの入力を受けて、カセッテＩＤと撮影オーダ情報とを対応付け、これらを合わせて記憶部２１に記憶する。そして、カセッテＩＤと撮影オーダ情報に対して、コンソール７に割り当てられたコンソールＩＤを対応付けてサーバ２に送信するとともに、撮影オーダ情報に含まれる撮影情報を撮影操作装置４に送信する（図７のステップＳ１、ステップＳ２参照）。また、このときコンソール７のコンソールＩＤを放射線画像検出装置６に送信しておく。
【００７６】
図８において、操作者により選択された放射線画像検出装置６は、寝台１１の下方に設けられた検出装置装着口に装着され、撮影待機状態となる（ステップＳ２１）。また操作者は、撮影情報に適した撮影部位が放射線画像撮影装置３に対して適切な位置となるよう、患者１２を寝台１１に裁置する。そして、コンソール７から受信した撮影情報に基づいて撮影操作装置４を制御し、当該制御情報に基づいて放射線画像撮影装置３から放射線が照射される。放射線画像検出装置６は、放射線画像撮影装置３から照射されて患者１２を透過した放射線を検出し、上述した過程で放射線画像データを生成して画像記憶部６６の第１のメモリ空間又は第２のメモリ空間に記憶する（ステップＳ２２）。なお、初撮影では第１のメモリ空間、第２のメモリ空間はともに空き状態となっており、ここでは、まず第１のメモリ空間に放射線画像データを記憶することとする。
【００７７】
１撮影が終了すると、操作者は、寝台１１の検出装置装着口から放射線画像検出装置６を取り出し、放射線画像検出装置６に設けられた第１の送信ボタンを押下する。放射線画像検出装置６は、第１の送信ボタンの入力を受けると、画像記憶部６６の第１のメモリ空間に記憶された放射線画像データにカセッテＩＤを付帯させ、基地局５を介して無線通信でコンソール７に送信する送信処理を行う（ステップＳ２３）。またこのとき、第１の送信ボタンを青点滅させ（ステップＳ２４）、放射線画像データが送信中である旨を表示する。
【００７８】
その後、次撮影がない場合は（ステップＳ２５：Ｎｏ）、放射線画像検出装置６はコンソール７からの受信成功信号を受信するまで待機する。そして、コンソール７から受信成功信号を受信する（ステップＳ２６：Ｙｅｓ）と、第１の送信ボタンを青点灯し（ステップＳ２７）、データ送信が完了したことを表示する。操作者は、第１の送信ボタンが青点灯しているのを確認し、第１の消去ボタンを押下する。放射線画像検出装置６は、第１の消去ボタンの入力を受けて、画像記憶部６６の第１のメモリ空間に記憶された放射線画像データを消去する（ステップＳ２８）。そして、第１の送信ボタンを消灯し（ステップＳ２９）、処理は終了となる。
【００７９】
次撮影を行う場合（ステップＳ２５：Ｙｅｓ）は、画像記憶部６６の第１及び第２のメモリ空間に空きがあるか否かを判断する。例えば、第１のメモリ空間にのみ放射線画像データが記憶されており、第２のメモリ空間に空きがある場合（ステップＳ３０：Ｙｅｓ）は、ステップＳ２１に戻って再度撮影を行い、生成された放射線画像データを第２のメモリ空間に記憶する。このように、このステップでは、第１のメモリ空間に記憶された１撮影目の放射線画像データをコンソール７に送信する処理と、２撮影目の放射線画像データを生成して第２のメモリ空間に記憶する処理を並行して行うことができる。そして、次撮影がなければ、第１及び第２のメモリ空間に記憶された放射線画像データを消去して処理は終了となる（ステップＳ２６〜ステップＳ２９）。
【００８０】
一方、次撮影を行う場合（ステップＳ２５：Ｙｅｓ）に、画像記憶部６６の第１及び第２のメモリ空間ともに放射線画像データが記憶されており、メモリ空間に空きがない場合（ステップＳ３０：Ｎｏ）は、放射線画像データを消去するため、コンソール７から受信成功信号を受信するまで待機状態となる。通常、先に生成された第１のメモリ空間の放射線画像データをまずコンソール７に送信しているため、第１のメモリ空間に記憶された放射線画像データについての受信成功信号を最初に受信することになる。
【００８１】
コンソール７から受信完了信号を受信する（ステップＳ３１：Ｙｅｓ）と、第１の送信ボタンを青点灯し（ステップＳ３２）、データ送信が完了したことを表示する。操作者は、第１の送信ボタンが青点灯しているのを確認し、第１の消去ボタンを押下する。放射線画像検出装置６は、第１の消去ボタンの入力を受けて、画像記憶部６６の第１のメモリ空間に記憶された放射線画像データを消去する（ステップＳ３３）。そして、第１の送信ボタンを消灯した（ステップＳ３４）後、ステップＳ２１に戻って再度撮影を行い、第１のメモリ空間に放射線画像データを記憶する。
【００８２】
このように、本実施の形態においては、放射線画像検出装置６の画像記憶部６６が２撮影分の放射線画像データを記憶できる容量を備えており、次撮影を行う際にメモリ空間に空きがある場合には、放射線画像データの送信動作と次撮影の動作とを並行して行うことができる。したがって、画像記憶部６６のメモリ容量を極力抑えて放射線画像検出装置６のサイズを小さくしつつも、効率良く作業を行うことができる。
【００８３】
なお、上述の説明では、効率の向上を優先したため、第１のメモリ空間または第２のメモリ空間に空きがあればすぐに次の撮影動作に移行し、放射線画像データの送信処理と撮影処理を極力並行するようにした。しかし、例えば、２撮影を行って第１のメモリ空間、第２のメモリ空間に放射線画像データを記憶した後、２撮影分の放射線画像データをまとめてコンソール７に送信したり、第１のメモリ空間、第２のメモリ空間のデータをともに消去してから、次の撮影動作に移行したりするように構成しても構わない。これらは、操作者の撮影フローや装置構成などに応じて適宜変更可能である。
【００８４】
また、第１のメモリ空間、第２のメモリ空間はそれぞれ１撮影分の放射線画像データのみを記憶できるメモリ容量としたが、例えば、それぞれのメモリ空間が複数撮影分の放射線画像データを記憶できるメモリ容量としても、もちろん構わない。
【００８５】
また、この第２の実施形態に、上述した代替コンソール処理の適用が可能であることは言うまでもない。
【図面の簡単な説明】
【００８６】
【図１】本発明に係る放射線画像撮影システムにおける一実施形態の概略構成を示す図である。
【図２】コンソールの要部構成を示すブロック図である。
【図３】放射線画像検出装置の斜視図である。
【図４】信号検出部を構成する光電変換部の等価回路図である。
【図５】光電変換部を二次元に配列した信号検出部の等価回路図である。
【図６】放射線画像検出装置の要部構成を示すブロック図である。
【図７】第１の実施形態に係る放射線画像撮影システムの動作を説明するフローチャートである。
【図８】図７における第１の実施形態に係る放射線画像撮影システムの動作を一部変形したときのフローチャートである。
【図９】放射線画像撮影システムにおいて、放射線画像検出装置の代替コンソール処理を説明するフローチャートである。
【図１０】第２の実施形態に係る放射線画像撮影システムの動作を説明するフローチャートである。
【符号の説明】
【００８７】
１  放射線画像撮影システム
２  サーバ
５  基地局
６  放射線画像検出装置（ＦＰＤ装置）
７  コンソール
１４、６０  制御部
１５、８２  ＲＡＭ
１６、８１  ＲＯＭ
１８  入力操作部
１９、８３  通信部
２１  記憶部
６２  撮像パネル
６６  画像記憶部
【図１】
2008119018.tif 000003
【図２】
2008119018.tif 000004
【図３】
2008119018.tif 000005
【図４】
2008119018.tif 000006
【図５】
2008119018.tif 000007
【図６】
2008119018.tif 000008
【図７】
2008119018.tif 000009
【図８】
2008119018.tif 000010
【図９】
2008119018.tif 000011
【図１０】
2008119018.tif 000012